(57)【特許請求の範囲】
【請求項１】
自動改札機(1)の筐体(6)にカード類処理ユニット(2)を内蔵し、このカード類処理ユニット(2)の側面(3)の下半分(3a)を覆うセンタカバー(10)と；
このセンタカバー(10)を開閉させる為にセンタカバー(10)の下端(10a)を筐体(6)に連結する第１ヒンジ(12)と；
カード類処理ユニット(2)の側面(3)の残部(3b)及び上面(4)を覆う断面Ｌ字状の上カバー(14)と；
この上カバー(14)を前記センタカバー(10)とは独立して開閉させるために上カバー(14)の下部を前記筐体(6)内部の支点(18)に連結した第２ヒンジ(20,21)と；
を備えたことを特徴とする自動改札機。
【請求項２】
前記支点(18)をセンタカバー(10)の内側に配置し、かつ前記第２ヒンジ(20,21)にセンタカバー(10)を跨ぐ略Ｕ字形アーム(22)を含めたことを特徴とする請求項１記載の自動改札機。
【請求項３】
前記カード類処理ユニット(2)を、スライドレール(30,31)を介して筐体(6)に取付け、前記センタカバー(10)並びに上カバー(14)を共に開いた状態でカード類処理ユニット(2)を筐体(6)外へ水平に引出せるようにしたことを特徴とする請求項１記載の自動改札機。
【発明の詳細な説明】
【０００１】
【発明の属する技術分野】
本発明は、自動改札機の挿入口から差込んだ乗車券、定期券、プリペイドカード等（以下、「カード類」と記す。）を、カード類処理ユニットで搬送しつつ識別して取出口まで運ぶ自動改札機に関する。
【０００２】
【従来の技術】
自動改札機のカード類処理ユニットは、挿入口から差込んだカード類を取出口まで搬送しながらカード類の内容を識別するもので、カード類の内容を識別するためのセンサや、カード類を搬送するための搬送ベルトを備えている。
【０００３】
カード類を円滑に搬送したりカード類の内容を正確に識別するためには、カード類処理ユニットを定期的に保守点検して、例えばセンサを清掃したり搬送ベルトの緩みをチェックする必要がある。
以下にカード類処理ユニットの保守点検について詳しく説明する。
【０００４】
図６は従来の自動改札機の正面図であり、自動改札機１００の筐体１０１に内蔵したカード類処理ユニット１０２を保守点検する例を示す。
先ず、カード類処理ユニット１０２の上部１０３を修理点検するには、上カバー１０５を矢印ａの如く改札通路１０６側に開く。上カバーは小さいカバーなので、上カバー１０５から隣の自動改札機１０７までの隙間Ｓを比較的大きく確保することができる。この隙間Ｓに作業者が入り込んでカード類処理ユニット１０２の上部１０３を保守点検する。
【０００５】
次に、カード類処理ユニット１０２の下部１０４を保守点検する例を説明する。ここで、カード類処理ユニット１０２の下部１０４も、上部１０３の保守点検と同様に上カバー１０５を開けただけで保守点検できることが好ましい。
しかし、上カバー１０５でカード類処理ユニット１０２の下部まで覆うようにすると、上カバー１０５が大きくなり過ぎて、上カバー１０５を開けたときに上カバー１０５から隣の自動改札機１０７までの隙間Ｓが小さくなる。このため、隙間Ｓに作業者が入り込むことができないので、この構造ではカード類処理ユニット１０２の下部１０４を保守点検することができない。
【０００６】
そこで、カード類処理ユニット１０２の下部１０４を修理点検するときには、上カバー１０５を矢印ａの如く開けた後、カード類処理ユニット１０２の下部１０４が露出するまでカード類処理ユニット１０２を矢印ｂの如く十分に持上げる。このときには十部に広い隙間Ｓを確保することができるので、この隙間Ｓに作業者が入り込んでカード類処理ユニット１０２の下部１０４を保守点検すれば良い。
【０００７】
この様にカード類処理ユニット１０２を昇降する装置として、例えば特開平８−７７３９９号公報「カード類処理ユニット昇降装置」が提案されている。この技術の要部（図１の簡略図）を以下に再掲して説明する。なお、符号は新たに振り直した。
【０００８】
図７は従来の自動改札機の側面図であり、修理点検位置まで持上げたカード類処理ユニット１０２を実線で示し、使用位置にセットしたカード類処理ユニット０１２を想像線で示す。なお、図６と同一部材については同一符号を付した。
一対のガススプリング１０８，１０８をカード類処理ユニット１０２の底面１０２ａに取付け、ガススプリング１０８，１０８のガス圧を利用してカード類処理ユニット１０２を昇降する。ガススプリング１０８，１０８のガス圧を利用することで、カード類処理ユニット１０２を小さな力で昇降させることができる。このため、作業者の作業負担を軽くすることができる。
【０００９】
【発明が解決しようとする課題】
しかし、カード類処理ユニット１０２の下部１０４を保守点検するときには、カード類処理ユニット１０２を昇降させなければならないので、カード類処理ユニット１０２の保守点検に時間がかかる。
また、カード類処理ユニット１０２を小さな力で昇降させるために、ガススプリング１０８，１０８等の昇降装置を自動改札機１００に設ける必要があるので、自動改札機１００の構成が複雑になる。
【００１０】
そこで、本発明の目的は、カード類処理ユニットの保守点検を短い時間でおこなうことができ、かつ構成を簡素にすることができる自動改札機を提供することにある。
【００１１】
【課題を解決するための手段】
上記課題を解決するため請求項１は、自動改札機(1)の筐体(6)にカード類処理ユニット(2)を内蔵し、このカード類処理ユニット(2)の側面(3)の下半分(3a)を覆うセンタカバー(10)と；このセンタカバー(10)を開閉させる為にセンタカバー(10)の下端(10a)を筐体(6)に連結する第１ヒンジ(12)と；カード類処理ユニット(2)の側面(3)の残部(3b)及び上面(4)を覆う断面Ｌ字状の上カバー(14)と；この上カバー(14)を前記センタカバー(10)とは独立して開閉させるために上カバー(14)の下部を前記筐体(6)内部の支点(18)に連結した第２ヒンジ(20,21)と；を備えた自動改札機とした。
【００１２】
カード類処理ユニットの側面をセンタカバー及び上カバーの２枚で覆うようにしたことで、センタカバー及び上カバーを比較的小さくできる。さらに、上カバーの支点を筐体内部に配置したことで、上カバーを改札通路側に開いたとき、上カバーの改札通路への突出量を抑えることができる。
【００１３】
このため、センタカバー及び上カバーを改札通路側に開いたとき、各々のカバーの突出量を抑えることができるので、作業者の作業空間を改札通路に確保することができる。従って、例えば従来のようにカード類処理ユニットを昇降させる必要がないので、保守点検時間を短くすることができる。
【００１４】
また、保守点検のときにカード類処理ユニットを昇降させる必要がないので、カード類処理ユニットの昇降をアシストするための昇降装置が不要になる。
さらに、センタカバー及び上カバーを独立して開閉するように取付けたことで、保守点検箇所に合わせて、必要なカバーだけを開けることができ、使い勝手がよくなる。
【００１５】
請求項２は、支点(18)をセンタカバー(10)の内側に配置し、かつ第２ヒンジ(20,21)にセンタカバー(10)を跨ぐ略Ｕ字形アーム(22)を含めたことを特徴とする。
第２ヒンジに、第１ヒンジを跨ぐ略Ｕ字形アームを含めたことで、上カバーを開いたときに、センタカバーに干渉することなく上カバーをカード類処理ユニットの下側に配置することができる。この結果、保守点検を行うとき、上カバーが邪魔にならないので短い時間で保守点検を行うことができる。
【００１６】
請求項３は、カード類処理ユニット(2)を、スライドレール(30,31)を介して筐体(6)に取付け、センタカバー(10)並びに上カバー(14)を共に開いた状態でカード類処理ユニット(2)を筐体(6)外へ水平に引出せるようにしたことを特徴とする。
カード類処理ユニットをスライドレールを介して筐体に取付けて、筐体内から改札通路側に水平に引出すこととした。カード類処理ユニットを昇降させる必要がないので、カード類処理ユニットの昇降をアシストするための装置（例えば、ガススプリング）が不要になる。
【００１７】
【発明の実施の形態】
以下、本発明を図面に示した好ましい一実施の形態に基づいて詳細に説明するが、本発明の範囲は、図面に示した実施の形態に限定するものではない。
図１は本発明に係る自動改札機の側面図であり、矢印は自動改札機１の利用者の進行方向を示す。
自動改札機１は、カード類処理ユニット２を内蔵した筐体６と、筐体６の側面中央に配置したセンタカバー１０と、センタカバー１０を筐体６に連結した第１ヒンジ１２と、センタカバー１０の上方に配置した上カバー１４と、上カバー１４を筐体６に連結した前後の第２ヒンジ２０，２１と、カード類処理ユニット２を支える前後のスライドレール３０，３１とからなる。以下に各々の構成を詳しく説明する。
【００１８】
前後の第２ヒンジ２０，２１は前後対称なので前側第２ヒンジ２１を説明して、後側第２ヒンジ２０の説明を省略し、前後のスライドレール３０，３１は前後対称なので前側スライドレール３１を説明して、後側スライドレール３０の説明を省略する。
符号８，８は改札通路を開閉するドアであり、符号９，９は下カバーである。
【００１９】
図２は本発明に係る自動改札機の正面図であり、自動改札機１を前側から見た姿を示す。なお、想像線は自動改札機１の筐体６を示す。
センタカバー１０は、筐体６の改札通路１１側に配置したもので、カード類処理ユニット２の側面３の下半分３ａを覆う部材である。
第１ヒンジ１２は、センタカバー１０を開閉させる為にセンタカバー１０の下端１０ａを筐体６に回転自在に連結した部材である。
【００２０】
上カバー１４は、カード類処理ユニット２の側面３の残部３ｂ及びカード類処理ユニット２の上面４を覆うように断面Ｌ字状に形成した部材であり、筐体６の改札通路１１側に配置したものである。
なお、符号１５はカード類（図示しない。）を差込むための挿入口である。
【００２１】
前側第２ヒンジ２１は、上カバー１４を支点（回転軸）１８に回転自在に取付けた略Ｕ字形アーム（アーム）２２と、回転軸１８に取付けた第１ギヤ２４と、第１ギヤ２４に噛み合った第２ギヤ２６と、第２ギヤ２６を筐体６に取付けたロッド２８と、上カバー１４の自重を相殺するためにロッド２８に沿って配置したトーションバー（図示しない。）とからなり、上カバー１４をセンタカバー１０とは独立して開閉させる部材である。
【００２２】
回転軸１８は、筐体６の改札通路１１側の側面６ａからＬ１分内部に配置し、かつセンタカバー１０の頂部１０ｂからＬ２分下側に配置した部材である。
このため、回転軸１８は、カード類処理ユニット２の側面に位置することとなり、回転軸１８に前記トーションバーを取付けることができない。このため、第１ギヤ２４及び第２ギヤ２６を配置してカード類処理ユニット２の下部にロッド２８を通すことにより、前記トーションバーを取付ける構成とした。このトーションバーは、上カバー１４を開閉するときに上カバーの自重を相殺するものである。
【００２３】
アーム２２は、主要部分を略Ｕ字形に形成した部材であって、略Ｕ字形の先端２２ａに上方に延びた直線部２３を形成し、直線部２３を上カバー１４の裏面１４ａに取付け、基端２２ｂを回転軸１８に取付けたものである。
【００２４】
図３は図２の３−３線断面図である。
前側スライドレール３１は、筐体６に取付部材３２，３２で水平に取付けたレール３４と、レール３４内に配置したスライダ３６と、スライダ３６をレール３４内で移動自在に支えたボールベアリング３８…とからなり、スライダ３６にカード類処理ユニット２を取付けたものである。
【００２５】
前側スライドレール３１は、図２に示すセンタカバー１０並びに上カバー１４を共に改札通路１１側に開いた状態で、スライダ３６をレール３４に沿って引出すことにより、カード類処理ユニット２を筐体６の外へ水平に引出すものである。
【００２６】
以上に述べた自動改札機１の作用を次に説明する。
図４は本発明に係る自動改札機の第１作用説明図であり、上カバー１４を改札通路１１側に矢印▲１▼の如く開いて、カード類処理ユニット２の残部３ｂ及び上面４の保守点検をおこなう例を示す。
カード類処理ユニット２を、センタカバー１０及び上カバー１４の２枚で覆うことで、上カバー１４を比較的小さな形状に設定することができる。
【００２７】
さらに、回転軸１８を筐体６の改札通路１１側の側面６ａからＬ１分内部に配置し、かつセンタカバー１０の頂部１０ｂからＬ２分下側に配置した。
従って、上カバー１４を改札通路１１側に開いたとき、上カバー１４の突出量Ｌ３を抑えることができ、さらに、上カバー１４をカード類処理ユニット２の下側に下げることができる。
【００２８】
このため、自動改札機１と隣合う自動改札機４０との間の隙間をＳ１とすると、上カバー１４の先端１４ｂから自動改札機４０まで隙間Ｓ２（Ｓ１−Ｌ３）を比較的大きく確保することができる。
また、上カバー１４をカード類処理ユニット２の下側に下げることにより、上カバー１４がカード類処理ユニット２の作業点検のとき邪魔になることはない。
この結果、作業者は、上カバー１４を開くだけで改札通路１１側からカード類処理ユニット２を保守点検することができるので、短い時間で効率よく保守点検を行うことができる。
【００２９】
また、前側第２ヒンジ２１のアーム２２を、センタカバー１０を跨ぐように略Ｕ字形に形成したので、上カバー１４を改札通路１１側に矢印▲１▼の如く開いたときに、上カバー１４をセンタカバー１０に干渉させることなく、カード類処理ユニット２の下側に配置することができる。この結果、カード類処理ユニット２の保守点検を行うとき、上カバー１４が邪魔にならない。
【００３０】
図５（ａ），（ｂ）は本発明に係る自動改札機の第２作用説明図であり、カード類処理ユニット２を筐体６から引出して保守点検をおこなう例を示す。
（ａ）において、センタカバー１０を第１ヒンジ１２を中心して矢印▲２▼の如く改札通路１１側に開く。
（ｂ）において、上カバー１４を回転軸１８を中心して矢印▲３▼の如く改札通路１１側に開く。
次に、スライダ３６をレール３４に沿って引出すことにより、カード類処理ユニット２を矢印▲４▼の如く筐体６の外へ水平に引出す。
【００３１】
このとき、カード類処理ユニット２は上カバー１４の先端１４ｂの手前までしか引出さないので、図４で説明したように、作業者が入り込む作業空間を改札通路１１に確保することができる。このため、作業者は、カード類処理ユニット２を昇降させずに作業通路１１側から保守点検することができるので保守点検を短い時間で効率よく行うことができる。
また、カード類処理ユニット２を昇降させる必要がないので、カード類処理ユニット２の昇降をアシストするための昇降手段（例えば、ガスシリンダ）を不要にできる。この結果、自動改札機１の構成を簡素にすることができる。
【００３２】
尚、センタカバー１０及び上カバー１４を独立して開閉させたことで、カード類処理ユニット２の保守点検箇所に合わせて、センタカバー１０や上カバー１４を任意に選択して開くことができるの使い勝手がよくなる。
【００３３】
【発明の効果】
以上説明したように請求項１の自動改札機によれば、カード類処理ユニットの側面の下半分を覆うセンタカバーと、カード類処理ユニットの側面の残部及び上面を覆う断面Ｌ字状の上カバーとを備え、上カバーをセンタカバーとは独立して開閉させるために上カバーの下部を筐体内部の支点に連結した。
【００３４】
カード類処理ユニットの側面をセンタカバー及び上カバーの２枚で覆うようにしたことで、センタカバー及び上カバーを比較的小さくできる。さらに、上カバーの支点を筐体内部に配置したことで、上カバーを改札通路側に開いたとき、上カバーの改札通路への突出量を抑えることができる。
【００３５】
このため、センタカバー及び上カバーを改札通路側に開いたとき、各々のカバーの突出量を抑えることができるので、作業者の作業空間を改札通路に確保することができる。従って、従来のようにカード類処理ユニットを昇降させる必要はない。
この結果、作業者はセンタカバーや上カバーを開けるだけでカード類処理ユニットを保守点検できるので、保守点検時間を短くすることができる。
【００３６】
また、保守点検のときにカード類処理ユニットを昇降させる必要がないので、カード類処理ユニットの昇降をアシストするための昇降装置が不要になる。このため、自動改札機の構成を簡素にすることができる。
さらに、センタカバー及び上カバーを独立して開閉するように取付けたことで、保守点検箇所に合わせて、必要なカバーだけを開けることができ、使い勝手がよくなる。
【００３７】
請求項２は、第２ヒンジに、第１ヒンジを跨ぐ略Ｕ字形アームを含めたことで、上カバーを開いたときに、センタカバーに干渉することなく上カバーをカード類処理ユニットの下側に配置することができる。この結果、保守点検を行うとき、上カバーが邪魔にならないので短い時間で効率よく保守点検を行うことができる。
【００３８】
請求項３は、カード類処理ユニットをスライドレールを介して筐体に取付けて、筐体内から改札通路側に水平に引出すこととした。カード類処理ユニットを昇降させる必要がないので、カード類処理ユニットの昇降をアシストするための装置（例えば、ガスシリンダ）が不要になる。この結果、自動改札機の構成を簡素にすることができる。
【図面の簡単な説明】
【図１】本発明に係る自動改札機の側面図
【図２】本発明に係る自動改札機の正面図
【図３】図２の３−３線断面図
【図４】本発明に係る自動改札機の第１作用説明図
【図５】本発明に係る自動改札機の第２作用説明図
【図６】従来の自動改札機の正面図
【図７】従来の自動改札機の側面図
【符号の説明】
１…自動改札機、２…カード類処理ユニット、３…側面、３ａ…下半分、３ｂ…残部、４…上面、６…筐体、１０…センタカバー、１２…第１ヒンジ、１４…上カバー、１８…支点（回転軸）、２０…第２ヒンジ（後側第２ヒンジ）、２１…第２ヒンジ（前側第２ヒンジ）、２２…略Ｕ字形アーム（アーム）、３０…スライドレール（後側スライドレール）、３１…スライドレール（前側スライドレール）。
【図１】
0003964560.tif 000002
【図２】
0003964560.tif 000003
【図３】
0003964560.tif 000004
【図４】
0003964560.tif 000005
【図５】
0003964560.tif 000006
【図６】
0003964560.tif 000007
【図７】
0003964560.tif 000008